(57)【要約】【課題】着用者の足に対するホールド性を損なわずに、締結部材の締め付けおよび弛緩を容易に行うことができるようにする。【解決手段】緊締構造１０において、内甲側の第３案内部材２３と外甲側の第３案内部材２３とは、足長方向から見たときに、足長方向に沿って互いに重なっている。締結部材１１は、内甲側および外甲側のそれぞれに位置する中途部１２，１３が、足幅方向において互いに交わることなく、足長方向の成分を含む方向に沿って延びるように案内されている。【選択図】図１
2020162885.tif 000002
【特許請求の範囲】
【請求項１】
引っ張り力により履物を着用した着用者の足を保持するための締結部材と、
内甲側および外甲側のそれぞれに対応する位置に配置された第１案内部材と、
前記第１案内部材の後方に配置され、内甲側および外甲側のそれぞれに対応する位置に配置された第２案内部材と、
足長方向において前記第１案内部材と前記第２案内部材との間に配置され、内甲側および外甲側のそれぞれに対応する位置に配置された第３案内部材と、を備え、
前記第１〜第３案内部材の各々は、
固定端部と該固定端部よりも足幅方向の中央寄りに位置する自由端部とを含む本体部と、
前記自由端部が位置する側に配置され、前記締結部材を挿通可能な挿通部と、を有し、
内甲側の前記第１案内部材の前記挿通部、外甲側の前記第３案内部材の前記挿通部、および内甲側の前記第２案内部材の前記挿通部の順に、内甲側に位置する前記締結部材の中途部が挿通されており、
外甲側の前記第１案内部材の前記挿通部、内甲側の前記第３案内部材の前記挿通部、および外甲側の前記第２案内部材の前記挿通部の順に、外甲側に位置する前記締結部材の中途部が挿通されており、
内甲側の前記第３案内部材と外甲側の前記第３案内部材とは、足長方向から見たときに、足長方向に沿って互いに重なっており、
前記締結部材は、内甲側および外甲側のそれぞれに位置する中途部が、足幅方向において互いに交わることなく、足長方向の成分を含む方向に沿って延びるように案内されている、履物の緊締構造。
【請求項２】
請求項１に記載の履物の緊締構造において、
前記第３案内部材の前記挿通部は、足幅方向略中央において、該第３案内部材の反対側に位置する前記第１案内部材の前記挿通部と前記第２案内部材の前記挿通部とを結ぶ仮想線の近傍に配置されている、履物の緊締構造。
【請求項３】
請求項１または２に記載の履物の緊締構造において、
前記第３案内部材は、前記本体部が着用者の足の甲部に対して面接触するように構成されている、履物の緊締構造。
【請求項４】
請求項１〜３のいずれか１項に記載の履物の緊締構造において、
前記第３案内部材の前記挿通部は、足長方向に沿って延びる中空形状を有している、履物の緊締構造。
【請求項５】
請求項１〜４のいずれか１項に記載の履物の緊締構造において、
前記締結部材に対して引っ張り力を付与しかつ該引っ張り力を調整するための締結器具をさらに備えた、履物の緊締構造。
【請求項６】
請求項１〜５のいずれか１項に記載の履物の緊締構造を備えるシューズ。
【発明の詳細な説明】
【技術分野】
【０００１】
本発明は、履物の緊締構造およびそれを用いたシューズに関するものである。
【背景技術】
【０００２】
従来、引っ張り力により着用者の足を保持するための靴紐を備えたシューズの緊締構造として、例えば特許文献１のようなシューズの緊締構造が提案されている。
【０００３】
この特許文献１には、アッパーに設けられた一対の紐折り返し部と、該紐折り返し部に案内される靴紐と、を備えたシューズの緊締構造が開示されている。各紐折り返し部は、足長方向において互いに離間した一対の紐通し部により構成されている。靴紐は、一つの紐折り返し部における一対の紐通し部に順次通されていて、別の紐折り返し部における一対の紐通し部に順次通されている。
【先行技術文献】
【特許文献】
【０００４】
【特許文献１】特許第５５２３４０４号公報
【発明の概要】
【発明が解決しようとする課題】
【０００５】
特許文献１の緊締構造において、靴紐は、その中途部が、各紐折り返し部における一対の紐通し部に挿通されかつ交差状に折り返されるように案内されている。これにより、靴紐に引っ張り力を付与した緊締状態では、交差状に折り返された靴紐の中途部が、シューズを着用した着用者の足を保持するようになっている。
【０００６】
一方、特許文献１の緊締構造において、靴紐の中途部には、各紐折り返し部（一対の紐通し部）に保持されている位置に局所的な屈曲部分が多数存在している。このため、上記屈曲部分に摩擦抵抗が生じやすくなり、靴紐に付与される引っ張り力が靴紐に対し直接的に伝わりにくくなる。すなわち、上記引っ張り力が靴紐の全体に対して均等に伝わりにくくなる。具体的に、上記引っ張り力を強めたときに、靴紐の中途部が緊締されにくくなる。また、緊締状態から上記引っ張り力を弱めたときに、上記引っ張り力が直ちに開放されず、靴紐の中途部が緩みにくくなる。その結果、シューズの着脱が容易ではなくかつ着脱に要する時間がかかっていた。このように、特許文献１の緊締構造では、締結部材の締め付けおよび弛緩を容易に行うことができなかった。
【０００７】
本発明は斯かる点に鑑みてなされたものであり、その目的は、着用者の足に対するホールド性を損なわずに、締結部材の締め付けおよび弛緩を容易に行うことができるようにすることにある。
【課題を解決するための手段】
【０００８】
上記の目的を達成するために、本発明の第１の形態は履物の緊締構造に係るものであり、この履物の緊締構造は、引っ張り力により履物を着用した着用者の足を保持するための締結部材と、内甲側および外甲側のそれぞれに対応する位置に配置された第１案内部材と、第１案内部材の後方に配置され、内甲側および外甲側のそれぞれに対応する位置に配置された第２案内部材と、足長方向において第１案内部材と第２案内部材との間に配置され、内甲側および外甲側のそれぞれに対応する位置に配置された第３案内部材と、を備えている。第１〜第３案内部材の各々は、固定端部と該固定端部よりも足幅方向の中央寄りに位置する自由端部とを含む本体部と、自由端部が位置する側に配置され、締結部材を挿通可能な挿通部と、を有している。内甲側の第１案内部材の挿通部、外甲側の第３案内部材の挿通部、および内甲側の第２案内部材の挿通部の順に、内甲側に位置する締結部材の中途部が挿通されている。外甲側の第１案内部材の挿通部、内甲側の第３案内部材の挿通部、および外甲側の第２案内部材の挿通部の順に、外甲側に位置する締結部材の中途部が挿通されている。内甲側の第３案内部材と外甲側の第３案内部材とは、足長方向から見たときに、足長方向に沿って互いに重なっている。そして、締結部材は、内甲側および外甲側のそれぞれに位置する中途部が、足幅方向において互いに交わることなく、足長方向の成分を含む方向に沿って延びるように案内されていることを特徴とする。
【０００９】
第１の形態において、内甲側の第３案内部材と外甲側の第３案内部材とは、足長方向から見たときに、足長方向に沿って互いに重なっている。これにより、内甲側に位置する第３案内部材と外甲側に位置する第３案内部材とが、足幅方向において途切れずに連続するようになる。このため、締結部材に引っ張り力を付与した緊締状態では、第３案内部材により着用者の足をしっかり保持することが可能となる。
【００１０】
また、第１の形態において、締結部材は、内甲側および外甲側のそれぞれに位置する中途部が、足幅方向において互いに交わることなく、足長方向の成分を含む方向に沿って延びるように構成されている。かかる構成により、上記中途部は、足長方向に沿って真っ直ぐに延びた状態に近づくようになる。このため、締結部材の上記中途部と第１〜第３案内部材の各々の挿通部との間で摩擦抵抗が生じにくくなり、締結部材に付与される引っ張り力が締結部材の上記中途部に対して直接的に伝わりやすくなる。すなわち、上記引っ張り力が締結部材の全体に対して均等に伝わりやすくなる。その結果、上記引っ張り力を強めることにより、締結部材がより強く緊締されるようになる。一方、緊締状態から上記引っ張り力を弱めることにより、上記引っ張り力が直ちに開放されて、締結部材が緊締状態から緩みやすくなる。このように、緊締構造では、締結部材を締め付けることおよび緩めることが容易となる。そして、着用者による履物の着脱が容易となりかつ着脱に要する時間が短縮される。
【００１１】
したがって、第１の形態では、着用者の足に対するホールド性を損なわずに、締結部材の締め付けおよび弛緩を容易に行うことができる。
【００１２】
第２の形態は、第１の形態において、第３案内部材の挿通部は、足幅方向略中央において、該第３案内部材の反対側に位置する第１案内部材の挿通部と第２案内部材の挿通部とを結ぶ仮想線の近傍に配置されていることを特徴とする。
【００１３】
この第２の形態では、第１〜第３案内部材の各々の挿通部に挿通される締結部材の上記中途部が足長方向に沿って真っ直ぐに延びた状態に近づくようになる。このため、締結部材に付与される引っ張り力が締結部材の上記中途部に対して直接的に伝わりやすくなり、締結部材の締め付けおよび弛緩を容易に行うことができる。
【００１４】
第３の形態は、第１または第２の形態において、第３案内部材は、本体部が着用者の足の甲部に対して面接触するように構成されていることを特徴とする。
【００１５】
この第３の形態では、第３案内部材の本体部が着用者の足の甲部に対して面接触することから、締結部材の緊締状態において、第３案内部材の本体部により着用者の足の甲部に対するフィット性を高めることができる。特に、内甲側および外甲側のそれぞれに位置する第３案内部材では、各々の本体部において挿通部と連続する部分同士が足長方向に沿って重なっていることから、この重なり部分が足の甲部を包み込むように適切に保持することにより、着用者の足の甲部に対するフィット性がより一層高められている。
【００１６】
第４の形態は、第１〜第３のいずれか１つの形態において、第３案内部材の挿通部は、足長方向に沿って延びる中空形状を有していることを特徴とする。
【００１７】
この第４の形態では、第３案内部材の挿通部が足長方向に沿って延びる中空形状であることから、第３案内部材の挿通部に挿通される締結部材の上記中途部を足長方向に沿わせやすくなる。このため、締結部材に付与される引っ張り力が締結部材の上記中途部に対して直接的に伝わりやすくなり、締結部材の締め付けおよび弛緩を容易に行うことができる。
【００１８】
第５の形態は、第１〜第４のいずれか１つの形態において、締結部材に対して引っ張り力を付与しかつ該引っ張り力を調整するための締結器具をさらに備えたことを特徴とする。
【００１９】
この第５の形態では、締結器具を操作することにより、締結部材の締め付けおよび弛緩を容易に行うことができる。
【００２０】
第６の形態は、第１〜第５の形態のいずれか１つの履物の緊締構造を備えるシューズである。
【００２１】
この第６の形態では、上記第１〜第５の形態と同様の作用効果を奏するシューズを得ることができる。
【発明の効果】
【００２２】
以上説明したように、本発明によると、着用者の足に対するホールド性を損なわずに、締結部材の締め付けおよび弛緩を容易に行うことができる。
【図面の簡単な説明】
【００２３】
【図１】図１は、本発明の実施形態に係る緊締構造を備えたシューズを示す平面図である。
【図２】図２は、シューズを外甲側から見て示す斜視図である。
【図３】図３は、シューズを内甲側から見て示す斜視図である。
【図４】図４は、シューズを外甲側から見て示す側面図である。
【図５】図５は、緊締構造の構成を概略的に示す平面図である。
【図６】図６は、変形例１に係る緊締構造の構成を概略的に示す図５相当図である。
【図７】図７は、変形例２に係る緊締構造の構成を概略的に示す図５相当図である。
【発明を実施するための形態】
【００２４】
以下、本発明の実施形態を図面に基づいて詳細に説明する。以下の実施形態の説明は、本質的に例示に過ぎず、本発明、その適用物或いはその用途を制限することを意図するものではない。
【００２５】
図１〜図４は、本発明の実施形態に係る緊締構造１０およびそれを備えたシューズ１（履物）の全体を示している。このシューズ１は、例えばランニング用や各種競技用のスポーツシューズ、日常使用のスニーカーおよびリハビリ用シューズとして使用される。
【００２６】
ここで、シューズ１は、左足用シューズのみを例示している。右足用シューズは、左足用シューズと左右対称になるように構成されているので、以下の説明では左足用シューズのみについて説明し、右足用シューズの説明は省略する。
【００２７】
また、以下の説明において、上側および下側とはシューズ１の上下方向の位置関係を表し、前方（前側）および後方（後側）とはシューズ１の足長方向（前後方向）の位置関係を表し、内甲側および外甲側とはシューズ１の足幅方向の位置関係を表すものとする。
【００２８】
（アウトソール）
図１〜図４に示すように、シューズ１は、アウトソール２を有している。アウトソール２は、ミッドソール３よりも高硬度の硬質弾性部材で構成されており、例えばエチレン−酢酸ビニル共重合体（ＥＶＡ）等の熱可塑性樹脂、ポリウレタン（ＰＵ）等の熱硬化性樹脂、またはブタジエンラバーやクロロプレンラバー等のラバー素材が適している。
【００２９】
（ミッドソール）
シューズ１は、ミッドソール３を有している。ミッドソール３は、軟質の弾性材からなり、例えばエチレン−酢酸ビニル共重合体（ＥＶＡ）等の熱可塑性合成樹脂やその発泡体、ポリウレタン（ＰＵ）等の熱硬化性樹脂やその発泡体、ブタジエンラバーやクロロプレンラバー等のラバー素材やその発泡体などが適している。ミッドソール３は、接着剤などによりアウトソール２の上側に積層配置されている。
【００３０】
（アッパー本体）
図１〜図４に示すように、シューズ１は、着用者の足を覆うためのアッパー本体４を備えている。アッパー本体４の下部周縁は、ミッドソール３の周縁全体に接着剤などで一体的に固着されている。
【００３１】
アッパー本体４の上部には、着用者の足を挿入するための足挿入部５が設けられている。また、アッパー本体４の上部には、足挿入部５に連通して前後方向に延びる開口部６が形成されている。開口部６には、着用者の足の後部を保護するための舌片部７が設けられている。舌片部７は、アッパー本体４と一体的に形成されている。
【００３２】
（緊締構造）
図１〜図５に示すように、緊締構造１０は、締結部材１１を備えている。締結部材１１は、シューズ１（履物）に締結された状態で着用者の足を保持するためのものである。締結部材１１は、例えば、紐部材または鉄などの金属製のワイヤからなる。なお、締結部材１１が後述する第１〜第３案内部材２１〜２３により案内される具体的態様については後述する。
【００３３】
締結部材１１は、アッパー本体４に設けられている。締結部材１１には、締結部材１１に対して引っ張り力を付与しかつ該引っ張り力を調整するための締結器具１４が設けられている。また、締結部材１１の両端部には、連結部１５が設けられている。この連結部１５により、締結部材１１が１つの閉鎖した輪状となっている。なお、締結器具１４として、図示しないダイアル式の締結器具を用いてもよい。また、締結器具１４および連結部１５を用いずに、締結部材１１の両端部を蝶結びなどにより結んでもよい。
【００３４】
（案内部材）
緊締構造１０は、第１案内部材２１と、第２案内部材２２と、第３案内部材２３と、を備えている。
【００３５】
第１案内部材２１，２１は、足幅方向において内甲側および外甲側のそれぞれに対応する位置に配置されている。また、第１案内部材２１，２１は、足長方向において開口部６の前部に対応する位置に配置されている。
【００３６】
第２案内部材２２，２２は、足幅方向において内甲側および外甲側のそれぞれに対応する位置に配置されている。各第２案内部材２２は、足長方向において各第１案内部材２１の後方に間隔をあけて配置されている。具体的に、各第２案内部材２２は、後述する挿通部２８が足長方向において開口部６の後部の位置に対応するように配置されている。
【００３７】
第３案内部材２３，２３は、足幅方向において内甲側および外甲側のそれぞれに対応する位置に配置されている。各第３案内部材２３は、足長方向において各第１案内部材２１と各第２案内部材２２との間に配置されている。具体的に、各第３案内部材２３は、開口部６の足長方向略中央に対応する位置に配置されている。
【００３８】
（本体部）
第１〜第３案内部材２１〜２３の各々は、本体部２５を有している。本体部２５は、例えば布製や革製のような可撓性を有する材料からなる。本体部２５は、固定端部２６および自由端部２７を含む。
【００３９】
本体部２５は、足幅方向の成分を含む方向に沿って略帯状に延びている。具体的に、第１案内部材２１の本体部２５は、固定端部２６から後方に向かって足幅方向略中央に向かうように帯状に延びている。第２案内部材２２の本体部２５は、固定端部２６，２６から前方に向かって足幅方向略中央に向かうように延びている。
【００４０】
第３案内部材２３の本体部２５は、固定端部２６から足幅方向略中央に向かって帯状に延びている。また、第３案内部材２３は、帯状の本体部２５が着用者の足の甲部に対して面接触するように構成されている。なお、この実施形態では、第３案内部材２３における本体部２５の幅を、第１および第２案内部材２２の各々の本体部２５における幅と同じ大きさとなるように形成している。
【００４１】
（固定端部）
固定端部２６は、内甲側および外甲側のいずれか一方側に位置している。固定端部２６は、例えば接着剤または縫製によりアッパー本体４に固定されている。なお、図１〜図５では、固定端部２６を他の要素と区別して示すために、固定端部２６をドットによるハッチングで示している。
【００４２】
内甲側に位置する第１〜第３案内部材２１〜２３の各々の固定端部２６は、内甲側に面するアッパー本体４の下部に固定されている。外甲側に位置する第１〜第３案内部材２１〜２３の各々の固定端部２６は、外甲側に面するアッパー本体４の下部に固定されている。
【００４３】
第２案内部材２２には、２つの固定端部２６，２６が設けられている。具体的に、第２案内部材２２は、前側に位置する固定端部２６が着用者の足の中足部に対応する位置に配置される一方、後側に位置する固定端部２６が着用者の足の後足部に対応する位置に配置されるように構成されている。
【００４４】
（自由端部）
自由端部２７は、固定端部２６よりも足幅方向の中央寄りに位置している。自由端部２７は、アッパー本体４に対して固定されていない。なお、第２案内部材２２では、本体部２５の略中央で折り返された部分が自由端部２７となる。
【００４５】
（挿通部）
第１〜第３案内部材２１〜２３の各々は、締結部材１１を挿通させるための挿通部２８を有している。挿通部２８は、自由端部２７が位置する側に配置されている。第１案内部材２１の挿通部２８は、足長方向の成分を含む方向に沿って延びる中空形状を有している。第２案内部材２２では、本体部２５の略中央で折り返された部分（自由端部２７）が挿通部２８となっている。第３案内部材２３の挿通部２８は、足長方向に沿って延びる中空形状を有している。
【００４６】
第３案内部材２３の挿通部２８は、足幅方向において第３案内部材２３の反対側に位置する第１案内部材２１の挿通部２８と第２案内部材２２の挿通部２８とを結ぶ仮想線Ｍまたは仮想線Ｌの近傍に配置されている。具体的に、外甲側に位置する第３案内部材２３の挿通部２８は、足幅方向において、内甲側に位置する第１案内部材２１の挿通部２８と内甲側に位置する第２案内部材２２の挿通部２８とを結ぶ仮想線Ｍの近傍に配置されている。また、内甲側に位置する第３案内部材２３の挿通部２８は、足幅方向において、外甲側に位置する第１案内部材２１の挿通部２８と外甲側に位置する第２案内部材２２の挿通部２８とを結ぶ仮想線Ｌの近傍に配置されている。
【００４７】
さらに、第３案内部材２３の挿通部２８は、足幅方向において、内甲側に位置する仮想線Ｍと外甲側に位置する仮想線Ｌとの間隙に配置されている。より具体的に、外甲側に位置する第３案内部材２３の挿通部２８は、足幅方向において、中心線Ｃと内甲側に位置する仮想線Ｍとの間に位置している。また、内甲側に位置する第３案内部材２３の挿通部２８は、足幅方向において、中心線Ｃと外甲側に位置する仮想線Ｌとの間に位置している。
【００４８】
（締結部材の案内態様）
内甲側に位置する締結部材１１の中途部１２は、内甲側に位置する第１案内部材２１の挿通部２８、外甲側に位置する第３案内部材２３の挿通部２８、および内甲側に位置する第２案内部材２２の挿通部２８に挿通されている。そして、締結部材１１に引っ張り力が付与されると、締結部材１１の中途部１２には、内甲側に位置する第１および第２案内部材２１，２２により内甲側に向かう引っ張り力が生じる。この力により、外甲側に位置する第３案内部材２３が、内甲側に向かって引っ張られるようになる。
【００４９】
外甲側に位置する締結部材１１の中途部１３は、外甲側に位置する第１案内部材２１の挿通部２８、内甲側に位置する第３案内部材２３の挿通部２８、および外甲側に位置する第２案内部材２２の挿通部２８に挿通されている。そして、締結部材１１に引っ張り力が付与されると、締結部材１１の中途部１３には、外甲側に位置する第１および第２案内部材２２により外甲側に向かう引っ張り力が生じる。この力により、内甲側に位置する第３案内部材２３が外甲側に向かって引っ張られるようになる。
【００５０】
（本発明の特徴的構成）
本発明の特徴として、内甲側の第３案内部材２３と外甲側の第３案内部材２３とは、足長方向から見たときに、足長方向に沿って互いに重なっている。具体的に、内甲側に位置する第３案内部材２３と外甲側に位置する第３案内部材２３とは、足幅方向略中央において、本体部２５，２５同士が足長方向に沿って重なるように配置されている（図５において破線で囲ったＡ部を参照）。そして、締結部材１１は、中途部１２，１３が、足幅方向において互いに交わることなく、足長方向の成分を含む方向に沿って延びるように案内されている。
【００５１】
［実施形態の作用効果］
以上のように、緊締構造１０において、内甲側の第３案内部材２３と外甲側の第３案内部材２３とは、足長方向から見たときに、足長方向に沿って互いに重なっている。これにより、内甲側に位置する第３案内部材２３と外甲側に位置する第３案内部材２３とが、足幅方向において途切れずに連続するようになる。このため、締結部材１１に引っ張り力を付与した緊締状態では、第３案内部材２３により着用者の足をしっかり保持することが可能となる。
【００５２】
そして、締結部材１１は、内甲側および外甲側のそれぞれに位置する中途部１２，１３が、足幅方向において互いに交わることなく、足長方向の成分を含む方向に沿って延びるように構成されている。かかる構成により、中途部１２，１３は、足長方向に沿って真っ直ぐに延びた状態に近づくようになる。このため、中途部１２，１３と第１〜第３案内部材２１〜２３の各々の挿通部２８との間で摩擦抵抗が生じにくくなり、締結部材１１に付与される引っ張り力が中途部１２，１３に対して直接的に伝わりやすくなる。すなわち、上記引っ張り力が締結部材１１の全体に対して均等に伝わりやすくなる。その結果、上記引っ張り力を強めることにより、締結部材１１がより強く緊締されるようになる。一方、緊締状態から上記引っ張り力を弱めることにより、上記引っ張り力が直ちに開放されて、締結部材１１が緊締状態から緩みやすくなる。このように、緊締構造１０では、締結部材１１を締め付けることおよび緩めることが容易となる。そして、着用者による履物の着脱が容易となりかつ着脱に要する時間が短縮される。
【００５３】
したがって、本発明の実施形態に係る緊締構造１０では、着用者の足に対するホールド性を損なわずに、締結部材１１の締め付けおよび弛緩を容易に行うことができる。
【００５４】
また、各第３案内部材２３の挿通部２８は、足幅方向略中央において、該第３案内部材２３の反対側に位置する第１案内部材２１の挿通部２８と第２案内部材２２の挿通部２８とを結ぶ仮想線Ｌまたは仮想線Ｌの近傍に配置されている。このため、第１〜第３案内部材２１〜２３の各々の挿通部２８に挿通される締結部材１１の中途部１２，１３が足長方向に沿って真っ直ぐに延びた状態に近づくようになる。このため、締結部材１１に付与される引っ張り力が中途部１２，１３に対して直接的に伝わりやすくなり、締結部材１１の締め付けおよび弛緩を容易に行うことができる。
【００５５】
また、第３案内部材２３，２３の本体部２５，２５が着用者の足の甲部に対して面接触することから、締結部材１１の緊締状態において、第３案内部材２３，２３の本体部２５，２５により着用者の足の甲部に対するフィット性を高めることができる。特に、内甲側および外甲側のそれぞれに位置する第３案内部材２３，２３では、各々の本体部２５において挿通部２８と連続する部分同士が足長方向に沿って重なっていることから、この重なり部分が足の甲部を包み込むように適切に保持することにより、着用者の足の甲部に対するフィット性がより一層高められている。
【００５６】
また、各第３案内部材２３の挿通部２８が足長方向に沿って延びる中空形状であることから、第３案内部材２３，２３の挿通部２８，２８に挿通される締結部材１１の中途部１２，１３を足長方向に沿わせやすくなる。このため、締結部材１１に付与される引っ張り力が中途部１２，１３に対して直接的に伝わりやすくなり、締結部材１１の締め付けおよび弛緩を容易に行うことができる。
【００５７】
また、締結部材１１に対して引っ張り力を付与しかつ該引っ張り力を調整するための締結器具１４を操作することにより、締結部材１１の締め付けおよび弛緩を容易に行うことができる。
【００５８】
［実施形態の変形例１］
上記実施形態では、各第３案内部材２３における本体部２５の幅を、第１および第２案内部材２２の各々の本体部２５における幅と同じ大きさとなるように形成した形態を示したが、この形態に限られない。例えば、図６に示した変形例１のように、各第３案内部材２３における本体部２５の幅を、第１および第２案内部材２２の各々の本体部２５における幅よりも大きくなるように形成してもよい。
【００５９】
このような変形例では、第３案内部材２３，２３の本体部２５，２５が着用者の足の甲部に対して面接触する部分の面積が相対的に増えることから、締結部材１１の緊締状態において第３案内部材２３，２３の本体部２５，２５により足の甲部を包み込むように適切に保持しつつ、足の甲部に対するフィット性をより一層高めることができる。
【００６０】
［実施形態の変形例２］
上記実施形態では、１つの第３案内部材２３を設けた形態を示したが、この形態に限られない。すなわち、複数の第３案内部材２３，２３，…を設けた形態としてもよい。例えば、図７に示した変形例２のように、２つ目の第３案内部材２３を、第２案内部材２２の後方に配置してもよい。そして、第２案内部材２２と同様の構成を有する第４案内部材２４を、２つ目の第３案内部材２３の後方に配置するのが好ましい。なお、この変形例では、各第２案内部材２２を、上記実施形態で示した構成（２つの固定端部２６，２６を設けた構成）に代えて、固定端部２６を１つだけ設けた構成としている。
【００６１】
このような変形例であっても、締結部材１１の中途部１２，１３が足長方向に沿って真っ直ぐに延びた状態に近づくようになることから、上記実施形態と同様に、着用者の足に対するホールド性を損なわずに、締結部材１１の締め付けおよび弛緩を容易に行うことができる。
【００６２】
［その他の実施形態］
上記実施形態では、第１〜第３案内部材２１〜２３の各々の本体部２５が略帯状に延びる形態を示したが、この形態に限られない。例えば、第１〜第３案内部材２１〜２３の各々の本体部２５が足幅方向の成分を含む方向に沿って略線状に延びるような形態であってもよい。
【００６３】
また、上記実施形態では、第１〜第３案内部材２１〜２３の各々の固定端部２６を、アッパー本体４の下部に固定した形態を示したが、この形態に限られない。例えば、固定端部２６を、アウトソール２およびミッドソール３の少なくともいずれか一方に固定してもよい。
【００６４】
また、上記実施形態では、緊締構造１０をシューズ１に適用した形態を示したが、この形態に限られない。すなわち、緊締構造１０をスリッパやサンダルに適用してもよい。すなわち、本発明に係る緊締構造１０は履物全般に適用可能である。
【００６５】
以上、本発明についての実施形態を説明したが、本発明は上述の実施形態のみに限定されず、発明の範囲内で種々の変更が可能である。
【産業上の利用可能性】
【００６６】
本発明は、シューズなどの履物に適用される緊締構造として産業上の利用が可能である。
【符号の説明】
【００６７】
１：シューズ
１０：緊締構造
１１：締結部材
１２，１３：中途部
２１：第１案内部材
２２：第２案内部材
２３：第３案内部材
２５：本体部
２６：固定端部
２７：自由端部
２８：挿通部
Ｍ，Ｌ：仮想線
【図１】
2020162885.tif 000003
【図２】
2020162885.tif 000004
【図３】
2020162885.tif 000005
【図４】
2020162885.tif 000006
【図５】
2020162885.tif 000007
【図６】
2020162885.tif 000008
【図７】
2020162885.tif 000009